(57)【要約】【課題】小口径の配管であっても便器に良好に給排水することが可能な便器洗浄制御装置及びトイレ設備を提供する。【解決手段】便器と、該便器に洗浄水を供給するための洗浄弁と、該洗浄弁を開弁させるための洗浄スイッチとがそれぞれｎ個（ｎは２以上）設けられたトイレ設備の該洗浄弁を制御するための便器洗浄制御装置であって、第ｋ（ｋは１〜ｎの任意数）の洗浄スイッチの操作信号に基づいて第ｋの洗浄弁に洗浄信号を出力する便器洗浄制御装置において、複数の該洗浄スイッチから略同時に操作信号の入力があった場合、これらの洗浄弁に対し所定の時間差をおいて洗浄信号を出力するよう構成されていることを特徴とする便器洗浄制御装置。【選択図】図１
2010084482.tif 000002
【特許請求の範囲】
【請求項１】
便器と、該便器に洗浄水を供給するための洗浄弁と、該洗浄弁を開弁させるための洗浄スイッチとがそれぞれｎ個（ｎは２以上）設けられたトイレ設備の該洗浄弁を制御するための便器洗浄制御装置であって、
第ｋ（ｋは１〜ｎの任意数）の洗浄スイッチの操作信号に基づいて第ｋの洗浄弁に洗浄信号を出力する便器洗浄制御装置において、
複数の該洗浄スイッチから略同時に操作信号の入力があった場合、これらの洗浄弁に対し所定の時間差をおいて洗浄信号を出力するよう構成されていることを特徴とする便器洗浄制御装置。
【請求項２】
請求項１において、前記便器は排水勾配を有した共通の横引き排水管に接続されるものであり、
該排水勾配下流側の便器ほど優先順位が高いものとされており、
複数の洗浄スイッチから略同時に操作信号の入力があった場合、優先順位の高い便器の洗浄弁に対して優先して洗浄信号を出力するよう構成されていることを特徴とする便器洗浄制御装置。
【請求項３】
請求項１又は２において、任意の１つの洗浄スイッチからの操作信号の入力時点と他の洗浄スイッチからの操作信号の入力時点との差が３秒以内であるときに両者の入力が略同時であるとすることを特徴とする便器洗浄制御装置。
【請求項４】
請求項１ないし３のいずれか１項において、前記便器は洋風便器であり、前記所定の時間差は０．５〜３秒の間から選択された時間であることを特徴とする便器洗浄制御装置。
【請求項５】
請求項１ないし４のいずれか１項において、任意の１つの洗浄スイッチからの操作信号の入力時点と他の洗浄スイッチからの操作信号の入力時点との差がｘ秒以内であるときに両者の入力が略同時であるとし、かつ、該ｘ秒は、前記所定の時間差と同じであるか又は該所定の時間差よりも短いことを特徴とする便器洗浄制御装置。
【請求項６】
請求項１ないし５のいずれか１項において、各便器は洗浄弁を介して共通の給水管に接続されるものであることを特徴とする便器洗浄制御装置。
【請求項７】
請求項１ないし６のいずれか１項の便器洗浄制御装置を備えたトイレ設備であって、
便器と、該便器に洗浄水を供給するための洗浄弁と、該洗浄弁を開弁させるための洗浄スイッチとがそれぞれｎ個（ｎは２以上）設けられたトイレ設備。
【発明の詳細な説明】
【技術分野】
【０００１】
本発明は便器洗浄制御装置及びトイレ設備に係り、詳しくは、便器と、該便器に洗浄水を供給するための洗浄弁と、該洗浄弁を開弁させるための洗浄スイッチとがそれぞれｎ個（ｎは２以上）設けられたトイレ設備の該洗浄弁を制御するための便器洗浄制御装置と、この便器洗浄制御装置を備えたトイレ設備に関する。
【背景技術】
【０００２】
Ｉ．  オフィスビルや公共施設等においては、複数の便器が設置される。
【０００３】
第１９図は、４階建の建物の各階に便器を４器づつ設置した状態を示す模式図である。
【０００４】
第１９図では、１階に便器５１ａ〜５１ｄ、２階に便器５２ａ〜５２ｄ、３階に便器５３ａ〜５３ｄ、４階に便器５４ａ〜５４ｄが設置されている。また、給水管５５が分岐して、１階用給水管５６、２階用給水管５７、３階用給水管５８及び４階用給水管５９となり、これら給水管５６〜５９が１階〜４階に配設されている。１階用給水管５６は、分岐管５６ａ〜５６ｄに分岐して便器５１ａ〜５１ｄに接続されている。同様に、２階用給水管５７は分岐管５７ａ〜５７ｄに分岐して便器５２ａ〜５２ｄに接続され、３階用給水管５８は分岐管５８ａ〜５８ｄに分岐して便器５３ａ〜５３ｄに接続され、４階用給水管５９は分岐管５９ａ〜５９ｄに分岐して便器５４ａ〜５４ｄに接続されている。
【０００５】
このようなトイレ設備において、総ての便器（便器５１ａ〜５１ｄ、５２ａ〜５２ｄ、５３ａ〜５３ｄ、５４ａ〜５４ｄ）が同時に使用されることは考え難い。このため、これら便器のうちの一部が使用される場合を想定して、トイレ設備の配管設計が行われる。
【０００６】
第１９図では、４階建ての建物の各階に便器が４器設置されている。空気調和衛生工学会（ＳＨＡＳＥ）の設計指針によると、このような４連立の場合には、便器の同時使用率を５０％として配管を設計することが記載されている。
【０００７】
従って、便器の同時使用率を５０％として設計すると、分岐管５６ａ〜５６ｄ、５７ａ〜５７ｄ、５８ａ〜５８ｄ、５９ａ〜５９ｄの口径は２５Ａ、給水管５６〜５９の口径は４０Ａ、給水管５５の口径は１００Ａとなる。
【０００８】
II．  特開平５−３４６０３２号の請求項１には、複数のトイレデバイスを水流しするための方法において、該方法が、特定のトイレデバイスが使用されたことを示す電気指標を供給するステップ、及び前に使用されたトイレデバイスを水流しするための電気コマンドを供給するステップを含み、このコマンドが該電気指標が受信される順番によって決定される順番で供給されることを特徴とする方法が記載されている。この方法によると、複数のトイレデバイスが使用の順番に順次水流しされることになり、複数のトイレデバイスが同時に水流しされることが回避されるため、配管径を小さく設計することが可能となる。
【０００９】
III．  特開２００７−１６２３５９号には、複数の便器からの排水を１本の横引き配管を通して排水立管へ排水する排水システムにおいて、横引き配管の勾配を１／７５を超える急勾配にすることが記載されている。この横引き配管の急勾配により、排水を良好に行うことが可能となる。
【特許文献１】特開平５−３４６０３２号
【特許文献２】特開２００７−１６２３５９号
【発明の開示】
【発明が解決しようとする課題】
【００１０】
本発明は、小口径の配管であっても便器に良好に給排水することが可能な便器洗浄制御装置及びトイレ設備を提供することを第１の目的とする。
【００１１】
また、特許文献１では、複数（ｎ個）のトイレデバイスが使用の順番に順次水流しされる。しかし、複数（ｎ個）のトイレデバイスを略同時に使用した場合、必ずしも使用の順番に水洗することが好ましくない場合がある。例えば、各トイレデバイスの排水管への設置位置の関係により、使用の順に水洗するよりも、使用の順とは異なる順に水洗した方が排水がスムーズに行われる場合がある。また、何らかの事情で、他のトイレデバイスよりも優先して水流しを行う必要があるトイレデバイスを有する場合も考えられる。
【００１２】
本発明は、複数の便器がほぼ同時に使用された場合に、使用の順番とは異なる順に水洗することが可能な便器洗浄制御装置及びトイレ設備を提供することを第２の目的とする。
【課題を解決するための手段】
【００１３】
本発明（請求項１）の便器洗浄制御装置は、便器と、該便器に洗浄水を供給するための洗浄弁と、該洗浄弁を開弁させるための洗浄スイッチとがそれぞれｎ個（ｎは２以上）設けられたトイレ設備の該洗浄弁を制御するための便器洗浄制御装置であって、第ｋ（ｋは１〜ｎの任意数）の洗浄スイッチの操作信号に基づいて第ｋの洗浄弁に洗浄信号を出力する便器洗浄制御装置において、複数の該洗浄スイッチから略同時に操作信号の入力があった場合、これらの洗浄弁に対し所定の時間差をおいて洗浄信号を出力するよう構成されていることを特徴とするものである。
【００１４】
請求項２の便器洗浄制御装置は、請求項１において、前記便器は排水勾配を有した共通の横引き排水管に接続されるものであり、該排水勾配下流側の便器ほど優先順位が高いものとされており、複数の洗浄スイッチから略同時に操作信号の入力があった場合、優先順位の高い便器の洗浄弁に対して優先して洗浄信号を出力するよう構成されていることを特徴とする。
【００１５】
請求項３の便器洗浄制御装置は、請求項１又は２において、任意の１つの洗浄スイッチからの操作信号の入力時点と他の洗浄スイッチからの操作信号の入力時点との差が３秒以内であるときに両者の入力が略同時であるとすることを特徴とする。
【００１６】
請求項４の便器洗浄制御装置は、請求項１ないし３のいずれか１項において、前記便器は洋風便器であり、前記所定の時間差は０．５〜３秒の間から選択された時間であることを特徴とする。
【００１７】
請求項５の便器洗浄制御装置は、請求項１ないし４のいずれか１項において、任意の１つの洗浄スイッチからの操作信号の入力時点と他の洗浄スイッチからの操作信号の入力時点との差がｘ秒以内であるときに両者の入力が略同時であるとし、かつ、該ｘ秒は、前記所定の時間差と同じであるか又は該所定の時間差よりも短いことを特徴とする。
【００１８】
請求項６の便器洗浄制御装置は、請求項１ないし５のいずれか１項において、各便器は洗浄弁を介して共通の給水管に接続されるものであることを特徴とする。
【００１９】
本発明（請求項７）のトイレ設備は、請求項１ないし６のいずれか１項の便器洗浄制御装置を備えたトイレ設備であって、便器と、該便器に洗浄水を供給するための洗浄弁と、該洗浄弁を開弁させるための洗浄スイッチとがそれぞれｎ個（ｎは２以上）設けられたものである。
【発明の効果】
【００２０】
本発明（請求項１）の便器洗浄制御装置及び本発明（請求項７）のトイレ設備では、複数の洗浄スイッチから略同時に操作信号の入力があった場合、これらの洗浄弁に対し所定の時間差をおいて洗浄信号を出力する。これにより、短時間に洗浄が集中することが回避される。よって、給水管や排水管等の配管を小口径に設計しても、便器に良好に給排水することが可能である。また、排水管に短時間に多量の排水が流れることがなくなり、排水管の負担も低減する。便器の排出性能も確保される。
【００２１】
なお、請求項１において、便器洗浄制御装置は、ｎ個の便器の優先順位を記憶しており、複数の洗浄スイッチから略同時に操作信号の入力があった場合、優先順位の高い便器の洗浄弁に対して優先して洗浄信号を出力するよう構成されていることが好ましい。これにより、優先順位の高い便器の洗浄が、優先順位の低い便器の洗浄のために遅延することが防止される。
【００２２】
請求項２の便器洗浄制御装置では、排水勾配下流側の便器ほど優先順位が高いものとされている。このため、便器の排水が、当該便器よりも排水勾配上流側の便器からの排水によって妨げられることが回避され、排水が良好に行われる。
【００２３】
請求項３のように、任意の１つの洗浄スイッチからの操作信号の入力時点と他の洗浄スイッチからの操作信号の入力時点との差が３秒以内であるときに両者の入力が略同時であるとしてもよい。この場合、後順位の便器の洗浄が過度に遅延することが防止される。
【００２４】
請求項４のように、便器は洋風便器であり、前記所定の時間差は０．５〜３秒の間から選択された時間であるとしてもよい。この場合にも、後順位の便器の洗浄が過度に遅延することが防止される。
【００２５】
請求項５のように、略同時とされる時間差ｘ秒が所定の時間差と同じであるか又は該所定の時間差よりも短いことが好ましい。この場合、複数の便器を、洗浄間隔を過度にあけずに優先度の高い順番に洗浄することができる。
【００２６】
請求項６のように、各便器は洗浄弁を介して共通の給水管に接続されるものであってもよい。この場合、共通の給水管を小口径にすることが可能である。
【発明を実施するための最良の形態】
【００２７】
以下、図面を参照して本発明の実施の形態について詳細に説明する。第１図は実施の形態に係る便器洗浄制御装置を備えたトイレ設備の模式図である。
【００２８】
トイレルームの３室の個室１１，１２，１３の各々に、洋風便器１，２，３が設置されている。これら個室１１，１２，１３内に、洗浄スイッチＳＷ１、ＳＷ２、ＳＷ３が設置されている。
【００２９】
給水管２０が分岐管２１，２２，２３に分岐し、洋風便器１，２，３に接続されている。これら分岐管２１，２２，２３は、電磁弁Ｖ１、Ｖ２、Ｖ３を備えている。
【００３０】
また、これら洋風便器１〜３は、横引き排水管２４に接続されている。この横引き排水管２４は、洋風便器３が接続されている側を上流とし、洋風便器１が接続されている側を下流としている。この横引き排水管２４の下流端は、図示しない排水縦管に接続されている。この横引き排水管２４は、下流側に向う下り勾配となっている。
【００３１】
これら洋風便器１〜３は、この横引き排水管２４の最下流側から順番に優先順位が付けられている。即ち、横引き配管２４の最下流側の洋風便器１が第１順位とされ、中間の洋風便器２が第２順位とされ、最上流側の洋風便器３が第３順位とされている。なお、２個又は４個以上の便器が設置されている場合も同様である。
【００３２】
この優先順位の意味は次の通りである。
【００３３】
即ち、ある便器（例えば便器２）の洗浄を行った直後に、当該便器よりも優先順位の高い下流側の便器（例えば便器１）の洗浄を行った場合、この優先順位の高い便器（便器１）から横引き排水管２４への排水の排出が、横引き排水管２４の上流側から流れてくる排水（便器２からの排水）によって妨げられる。
【００３４】
これに対し、ある便器（例えば便器１）の洗浄を行った直後に、当該便器よりも優先順位の低い上流側の便器（例えば便器２）の洗浄を行った場合には、この優先順位の低い便器（便器２）から横引き排水管２４へ排水する際に、該横引き排水管２４の上流側から排水が流れてくることが無い。これにより、この優先順位の低い便器（便器２）からの排水は、横引き排水管２４へスムーズに排出する。
【００３５】
このように、複数の便器の洗浄を順次に行う場合には、優先順位の高い便器の洗浄から順に行う方が、排水が良好になる。
【００３６】
便器洗浄制御装置３０が、リード３１，３２，３３を介して洗浄スイッチＳＷ１、ＳＷ２、ＳＷ３と接続されていると共に、リード４１，４２，４３を介して電磁弁Ｖ１、Ｖ２、Ｖ３と接続されている。これにより、便器洗浄制御装置３０は、洗浄スイッチＳＷ１〜ＳＷ３からの操作信号を受信し、受信した操作信号に対応する電磁弁Ｖ１〜Ｖ３に洗浄信号を送信可能となっている。この便器洗浄制御装置３０は、洋風便器１〜３の上記優先順位を記憶している。
【００３７】
［第１の動作例］
次に、第１図の便器洗浄制御装置３０を備えたトイレ設備の動作について説明する。第２図〜第１５図は、第１図のトイレ設備の第１の動作例を説明するフロー図である。
【００３８】
なお、第２図〜第１５図の動作の前提として、便器洗浄制御装置３０は、以下の通りに設定されている。
（１）  各便器１〜３の洗浄時間は６秒であり、略同時に操作信号の入力があった場合の出力信号時間の差（以下、所定時間ということがある。）は、洗浄装置の瞬間流量のピーク時点よりもわずかに遅い３秒とする。
（２）  操作信号の入力を略同時とする設定時間を１秒とする。
（３）  操作スイッチＳＷ１〜ＳＷ３の操作信号を受信すると、その操作された操作スイッチＳＷ１〜ＳＷ３からの操作信号を１０秒間は受信しない。
【００３９】
なお、上記（１）のようにした理由は、複数の便器を十分な流量でかつ短時間で洗浄するためである。即ち、本動作例では、各便器１〜３の仕様として、洗浄時間が６秒であり、かつ洗浄開始から３秒未満の時点で、洗浄水の瞬間流量がピークに達するような洗浄挙動を示すものを想定している。また、本動作例では、洗浄開始から３秒後（即ち、瞬間流量がピークに達する時点よりも遅い時点）に、次の便器の洗浄開始を可能としている。このように、瞬間流量がピークに達する時点においては次の便器の洗浄開始が禁止されているため、当該ピークの時点で十分な瞬間流量を得ることができ、その結果、便器が良好に洗浄される。また、洗浄開始から３秒経過後に次の便器の洗浄開始が可能となるので、便器洗浄開始から６秒経過後（即ち、便器洗浄の終了後）に次の便器の洗浄を開始する場合と比べて、複数の便器を順次に洗浄するときに要する合計時間が短縮される。
【００４０】
＜初期フロー図（第２図）＞
第２図において、便器洗浄制御装置３０が制御を開始すると、いずれの操作スイッチＳＷ１〜３からの操作信号をも受信していない待機状態（ＳＴＥＰ１）となる。この待機状態において、先ず操作スイッチＳＷ３の操作の有無を確認する（ＳＴＥＰ２）。操作スイッチＳＷ３が操作されていない場合には、次いで操作スイッチＳＷ２の操作の有無を確認する（ＳＴＥＰ３）。この操作スイッチＳＷ２も操作されていない場合、さらに操作スイッチＳＷ１の操作の有無を確認する（ＳＴＥＰ３）。この操作スイッチＳＷ１も操作されていない場合には、ＳＴＥＰ１に戻り、ＳＴＥＰ１〜４を繰り返し実行する。
【００４１】
ＳＴＥＰ２で操作スイッチＳＷ３が操作されたことを確認すると、第３図のＳＴＥＰ１０に移行し、以下に説明するパターン１のフローを実行する。
【００４２】
＜パターン１（第３図）＞
第３図において、先ず操作スイッチＳＷ２の操作の有無を確認する（ＳＴＥＰ１０）。操作スイッチＳＷ２が操作されていない場合には、次いで操作スイッチＳＷ１の操作の有無を確認する（ＳＴＥＰ１１）。この操作スイッチＳＷ１も操作されていない場合、操作スイッチＳＷ３が操作されてから設定時間（１秒）の経過の有無を確認し（ＳＴＥＰ１２）、設定時間（１秒）が経過していない場合には、ＳＴＥＰ１０に戻り、これらＳＴＥＰ１０〜１２を繰り返し実行する。
【００４３】
ＳＴＥＰ１２において、操作スイッチＳＷ３の操作から設定時間（１秒）が経過したことを確認すると、便器３の洗浄を開始する（ＳＴＥＰ１３）。次いで、操作スイッチ２の操作の有無を確認する（ＳＴＥＰ１４）。この操作スイッチＳＷ２が操作されていない場合、操作スイッチＳＷ１の操作の有無を確認する（ＳＴＥＰ１５）。この操作スイッチＳＷ１も操作されていない場合、現在洗浄中の便器３の洗浄開始から所定時間（３秒）の経過の有無を確認し（ＳＴＥＰ１６）、所定時間（３秒）が経過していない場合には、ＳＴＥＰ１４に戻り、これらＳＴＥＰ１４〜１６を繰り返し実行する。
【００４４】
ＳＴＥＰ１６において、所定時間（３秒）が経過した場合には、第２図の待機状態（ＳＴＥＰ１）に戻る。
【００４５】
＜パターン１−（１）（第４図）＞
第３図のＳＴＥＰ１０において、操作スイッチＳＷ２が操作されたことを確認すると、第４図のＳＴＥＰ２０に移行し、以下に説明するパターン１−（１）のフローを実行する。
【００４６】
即ち、第３図のＳＴＥＰ１０で操作スイッチＳＷ２が操作されたことを確認すると、第４図のＳＴＥＰ２０，３０に移行し、この操作スイッチＳＷ２の操作から設定時間（１秒）が経過するまでの間、操作スイッチＳＷ１の操作の有無を確認する（ＳＴＥＰ２０，３０）。
【００４７】
このＳＴＥＰ２０で操作スイッチＳＷ１が操作されたことを確認すると、操作スイッチＳＷ１〜３の総てが操作されたことを確認したことになり（ＳＴＥＰ２，１０，２０）、便器１〜３を優先順位の高い順に（便器１，２，３の順に）洗浄することが確定する。
【００４８】
即ち、ＳＴＥＰ２０で操作スイッチＳＷ１が操作されたことを確認すると、直ちに便器１の洗浄を開始する（ＳＴＥＰ２１）。便器１の洗浄開始から所定時間（３秒）が経過後（ＳＴＥＰ２２）、便器２の洗浄を開始する（ＳＴＥＰ２３）。便器２の洗浄開始から所定時間（３秒）が経過後（ＳＴＥＰ２４）、便器３の洗浄を開始する（ＳＴＥＰ２５）。便器３の洗浄開始から所定時間（３秒）が経過後（ＳＴＥＰ２６）、第２図の待機状態（ＳＴＥＰ１）に復帰する。
【００４９】
上記ＳＴＥＰ３０で操作スイッチＳＷ２の操作から設定時間（１秒）が経過したことを確認すると、便器２の洗浄を開始する（ＳＴＥＰ３１）。
【００５０】
次いで、便器２の洗浄開始から設定時間（３秒）が経過するまでの間、操作スイッチＳＷ１の操作の有無を確認する（ＳＴＥＰ３２、４０）。
【００５１】
このＳＴＥＰ３２で操作スイッチＳＷ１が操作されたことを確認すると、操作スイッチＳＷ１〜３の総てが操作されたことを確認したことになり、現在洗浄中の便器２に次いで、優先順位の高い順（即ち、便器１，３の順）に便器を洗浄することが確定する。
【００５２】
即ち、ＳＴＥＰ３２で操作スイッチＳＷ１が操作されたことを確認すると、先ず現在洗浄中の便器２の洗浄開始から所定時間（３秒）が経過後（ＳＴＥＰ３３）、便器１の洗浄を開始する（ＳＴＥＰ３４）。便器１の洗浄開始から所定時間（３秒）が経過後（ＳＴＥＰ３５）、便器３の洗浄を開始する（ＳＴＥＰ３６）。便器３の洗浄開始から所定時間（３秒）が経過後（ＳＴＥＰ３７）、第２図の待機状態（ＳＴＥＰ１）に復帰する。
【００５３】
上記ＳＴＥＰ４０で便器２の洗浄から所定時間（３秒）が経過したことを確認すると、便器３の洗浄を開始する（ＳＴＥＰ４１）。
【００５４】
次いで、この便器３の洗浄開始から所定時間（３秒）が経過するまでの間、操作スイッチＳＷ１の操作の有無を確認する（ＳＴＥＰ４２，４６）。
【００５５】
ＳＴＥＰ４２で操作スイッチＳＷ１が操作されたことを確認すると、先ず現在洗浄中の便器３の洗浄開始から所定時間（３秒）が経過後（ＳＴＥＰ４３）、便器１の洗浄を開始する（ＳＴＥＰ４４）。便器１の洗浄開始から所定時間（３秒）が経過後（ＳＴＥＰ４５）、第２図の待機状態（ＳＴＥＰ１）に復帰する。
【００５６】
上記ＳＴＥＰ４６で便器３の洗浄開始から所定時間（３秒）の経過を確認すると、第２図の待機状態（ＳＴＥＰ１）に復帰する。
【００５７】
＜パターン１−（２）（第５図）＞
第３図のＳＴＥＰ１１で操作スイッチＳＷ１が操作されたことを確認すると、第５図のＳＴＥＰ５０に移行し、以下に説明するパターン１−（２）のフローを実行する。
【００５８】
即ち、ＳＴＥＰ１１（第３図）で操作スイッチＳＷ１が操作されたことを確認すると、第５図のＳＴＥＰ５０に移行し、直ちに便器１の洗浄を開始する（ＳＴＥＰ５０）。
【００５９】
次いで、この便器１の洗浄開始から所定時間（３秒）が経過するまでの間、操作スイッチＳＷ２の操作の有無を確認する（ＳＴＥＰ５１，６０）。
【００６０】
ＳＴＥＰ５１で操作スイッチＳＷ２が操作されたことを確認すると、現在洗浄中の便器１に次いで、便器２，３をこの順に洗浄することが確定するので、この順に便器を洗浄することになる（ＳＴＥＰ５２〜ＳＴＥＰ５６）。
【００６１】
即ち、ＳＴＥＰ５１で操作スイッチＳＷ２が操作されたことを確認すると、先ず現在洗浄中の便器１の洗浄開始から所定時間（３秒）が経過後（ＳＴＥＰ５２）、便器２の洗浄を開始する（ＳＴＥＰ５３）。便器２の洗浄開始から所定時間（３秒）が経過後（ＳＴＥＰ５４）、便器３の洗浄を開始する（ＳＴＥＰ５５）。便器３の洗浄開始から所定時間（３秒）が経過後（ＳＴＥＰ５６）、第２図の待機状態（ＳＴＥＰ１）に復帰する。
【００６２】
上記ＳＴＥＰ６０で便器１の洗浄開始から所定時間（３秒）が経過したことを確認すると、便器３の洗浄を開始する（ＳＴＥＰ６１）。
【００６３】
次いで、この便器３の洗浄開始から所定時間（３秒）が経過するまでの間、操作スイッチＳＷ２の操作の有無を確認する（ＳＴＥＰ６２，６６）。
【００６４】
このＳＴＥＰ６２で操作スイッチＳＷ２が操作されたことを確認すると、現在洗浄中の便器３の洗浄開始から設定時間（３秒）が経過後（ＳＴＥＰ６３）、便器２の洗浄を開始する（ＳＴＥＰ６４）。この便器２の洗浄開始から設定時間（３秒）が経過後（ＳＴＥＰ６５）、第２図の待機状態（ＳＴＥＰ１）に復帰する。
【００６５】
上記ＳＴＥＰ６６で便器３の洗浄開始から所定時間（３秒）が経過したことを確認すると、第２図の待機状態（ＳＴＥＰ１）に復帰する。
【００６６】
＜パターン１−（３）（第６図）＞
第３図のＳＴＥＰ１４で操作スイッチＳＷ２が操作されたことを確認すると、第６図のＳＴＥＰ７０に移行し、以下に説明するパターン１−（３）のフローを実行する。
【００６７】
即ち、ＳＴＥＰ１４（第３図）で操作スイッチＳＷ２が操作されたことを確認すると、第６図のＳＴＥＰ７０，８０に移行し、現在洗浄中の便器３の洗浄開始から所定時間（３秒）の間、操作スイッチＳＷ１の操作の有無を確認する（ＳＴＥＰ７０，８０）。
【００６８】
このＳＴＥＰ７０で操作スイッチＳＷ１が操作されたことを確認すると、現在洗浄中の便器３に次いで、便器１，２を優先順位の高い順に（便器１，２の順に）洗浄することが確定するので、この順に便器を洗浄することになる（ＳＴＥＰ７１〜ＳＴＥＰ７５）。
【００６９】
即ち、ＳＴＥＰ７０で操作スイッチＳＷ１が操作されたことを確認すると、先ず現在洗浄中の便器３の洗浄開始から所定時間（３秒）が経過後（ＳＴＥＰ７１）、便器１の洗浄を開始する（ＳＴＥＰ７２）。便器１の洗浄開始から所定時間（３秒）が経過後（ＳＴＥＰ７３）、便器２の洗浄を開始する（ＳＴＥＰ７４）。便器２の洗浄開始から所定時間（３秒）が経過後（ＳＴＥＰ７５）、第２図の待機状態（ＳＴＥＰ１）に復帰する。
【００７０】
上記ＳＴＥＰ８０で便器３の洗浄開始から所定時間（３秒）が経過したことを確認すると、便器２の洗浄を開始する（ＳＴＥＰ８１）。
【００７１】
次いで、この便器２の洗浄開始から所定時間（３秒）が経過するまでの間、操作スイッチＳＷ１の操作の有無を確認する（ＳＴＥＰ８２，８６）。
【００７２】
このＳＴＥＰ８２で操作スイッチＳＷ１が操作されたことを確認すると、現在洗浄中の便器２の洗浄開始から設定時間（３秒）が経過後（ＳＴＥＰ８３）、便器１の洗浄を開始する（ＳＴＥＰ８４）。この便器１の洗浄開始から設定時間（３秒）が経過後（ＳＴＥＰ８５）、第２図の待機状態（ＳＴＥＰ１）に復帰する。
【００７３】
上記ＳＴＥＰ８６で便器２の洗浄開始から所定時間（３秒）が経過したことを確認すると、第２図の待機状態（ＳＴＥＰ１）に復帰する。
【００７４】
＜パターン１−（４）（第７図）＞
第３図のＳＴＥＰ１５で操作スイッチＳＷ１が操作されたことを確認すると、第７図のＳＴＥＰ９０に移行し、以下に説明するパターン１−（４）のフローを実行する。
【００７５】
即ち、ＳＴＥＰ１５（第３図）で操作スイッチＳＷ１が操作されたことを確認すると、第７図のＳＴＥＰ９０，１００に移行し、現在洗浄中の便器３の洗浄開始から所定定時間（３秒）の間、操作スイッチＳＷ２の操作の有無を確認する（ＳＴＥＰ９０，１００）。
【００７６】
このＳＴＥＰ９０で操作スイッチＳＷ２が操作されたことを確認すると、現在洗浄中の便器３に次いで、便器１，２を優先順位の高い順に（便器１，２の順に）洗浄することが確定するので、この順に便器を洗浄することになる（ＳＴＥＰ９１〜ＳＴＥＰ９５）。
【００７７】
即ち、ＳＴＥＰ９０で操作スイッチＳＷ２が操作されたことを確認すると、先ず現在洗浄中の便器３の洗浄開始から所定時間（３秒）が経過後（ＳＴＥＰ９１）、便器１の洗浄を開始する（ＳＴＥＰ９２）。便器１の洗浄開始から所定時間（３秒）が経過後（ＳＴＥＰ９３）、便器２の洗浄を開始する（ＳＴＥＰ９４）。便器２の洗浄開始から所定時間（３秒）が経過後（ＳＴＥＰ９５）、第２図の待機状態（ＳＴＥＰ１）に復帰する。
【００７８】
上記ＳＴＥＰ１００で便器３の洗浄開始から所定時間（３秒）が経過したことを確認すると、便器１の洗浄を開始する（ＳＴＥＰ１０１）。
【００７９】
次いで、この便器１の洗浄開始から所定時間（３秒）が経過するまでの間、操作スイッチＳＷ２の操作の有無を確認する（ＳＴＥＰ１０２，１０６）。
【００８０】
このＳＴＥＰ１０２で操作スイッチＳＷ２が操作されたことを確認すると、現在洗浄中の便器１の洗浄開始から設定時間（３秒）が経過後（ＳＴＥＰ１０３）、便器２の洗浄を開始する（ＳＴＥＰ１０４）。この便器２の洗浄開始から設定時間（３秒）が経過後（ＳＴＥＰ１０５）、第２図の待機状態（ＳＴＥＰ１）に復帰する。
【００８１】
上記ＳＴＥＰ１０６で便器１の洗浄開始から所定時間（３秒）が経過したことを確認すると、第２図の待機状態（ＳＴＥＰ１）に復帰する。
【００８２】
＜パターン２（第８図）＞
第２図のＳＴＥＰ３で操作スイッチＳＷ２が操作されたことを確認すると、第８図のパターン２に移行する。
【００８３】
第８図において、先ず操作スイッチＳＷ３の操作の有無を確認する（ＳＴＥＰ１１０）。操作スイッチＳＷ３が操作されていない場合には、次いで操作スイッチＳＷ１の操作の有無を確認する（ＳＴＥＰ１１１）。この操作スイッチＳＷ１も操作されていない場合、操作スイッチＳＷ２が操作されてから設定時間（１秒）の経過の有無を確認し（ＳＴＥＰ１１２）、設定時間（１秒）が経過していない場合には、ＳＴＥＰ１１０に戻り、これらＳＴＥＰ１１０〜１１２を繰り返し実行する。
【００８４】
ＳＴＥＰ１１２において、操作スイッチＳＷ２の操作から設定時間（１秒）が経過した場合には、便器２の洗浄を開始する（ＳＴＥＰ１１３）。次いで、操作スイッチ３の操作の有無を確認する（ＳＴＥＰ１１４）。この操作スイッチＳＷ３が操作されていない場合、操作スイッチＳＷ１の操作の有無を確認する（ＳＴＥＰ１１５）。この操作スイッチＳＷ１も操作されていない場合、現在洗浄中の便器２の洗浄開始から所定時間（３秒）の経過の有無を確認し（ＳＴＥＰ１１６）、所定時間（３秒）が経過していない場合には、ＳＴＥＰ１１４に戻り、これらＳＴＥＰ１１４〜１１６を繰り返し実行する。
【００８５】
ＳＴＥＰ１１６で所定時間（３秒）が経過した場合には、第２図の待機状態（ＳＴＥＰ１）に戻る。
【００８６】
＜パターン２−（１）（第９図）＞
第８図のＳＴＥＰ１１０において、操作スイッチＳＷ３が操作されたことを確認すると、第９図のＳＴＥＰ１２０に移行し、以下に説明するパターン２−（１）のフローを実行する。
【００８７】
即ち、第８図のＳＴＥＰ１１０で操作スイッチＳＷ３が操作されたことを確認すると、第９図のＳＴＥＰ１２０，１３０に移行し、この操作スイッチＳＷ３の操作から設定時間（１秒）が経過するまでの間、操作スイッチＳＷ１の操作の有無を確認する（ＳＴＥＰ１２０，１３０）。
【００８８】
このＳＴＥＰ１２０で操作スイッチＳＷ１が操作されたことを確認すると、操作スイッチＳＷ１〜ＳＷ３の総てが操作されたことを確認したことになり（ＳＴＥＰ３，１１０，１２０）、便器１〜３を優先順位の高い順に（便器１，２，３の順に）洗浄することが確定する。
【００８９】
即ち、ＳＴＥＰ１２０で操作スイッチＳＷ１が操作されたことを確認すると、直ちに便器１の洗浄を開始し（ＳＴＥＰ１２１）、洗浄開始から所定時間（３秒）が経過後（ＳＴＥＰ１２２）、便器２の洗浄を開始する（ＳＴＥＰ１２３））。便器２の洗浄開始から所定時間（３秒）が経過後（ＳＴＥＰ１２４）、便器３の洗浄を開始する（ＳＴＥＰ１２５）。便器３の洗浄開始から所定時間（３秒）が経過後（ＳＴＥＰ１２６）、第２図の待機状態（ＳＴＥＰ１）に復帰する。
【００９０】
上記ＳＴＥＰ１３０で操作スイッチＳＷ３の操作から設定時間（１秒）が経過したことを確認すると、便器２の洗浄を開始する（ＳＴＥＰ１３１）。
【００９１】
次いで、便器２の洗浄開始から設定時間（３秒）が経過するまでの間、操作スイッチＳＷ１の操作の有無を確認する（ＳＴＥＰ１３２、１４０）。
【００９２】
このＳＴＥＰ１３２で操作スイッチＳＷ１が操作されたことを確認すると、操作スイッチＳＷ１〜３の総てが操作されたことを確認したことになり、現在洗浄中の便器２に次いで、優先順位の高い順（即ち、便器１，３の順）に便器を洗浄することが確定する。
【００９３】
即ち、ＳＴＥＰ１３２で操作スイッチＳＷ１が操作されたことを確認すると、先ず現在洗浄中の便器２の洗浄開始から所定時間（３秒）が経過後（ＳＴＥＰ１３３）、便器１の洗浄を開始する（ＳＴＥＰ１３４））。便器１の洗浄開始から所定時間（３秒）が経過後（ＳＴＥＰ１３５）、便器３の洗浄を開始する（ＳＴＥＰ１３６））。便器３の洗浄開始から所定時間（３秒）が経過後（ＳＴＥＰ１３７）、第２図の待機状態（ＳＴＥＰ１）に復帰する。
【００９４】
上記ＳＴＥＰ１４０で便器２の洗浄から所定時間（３秒）が経過したことを確認すると、便器３の洗浄を開始する（ＳＴＥＰ１４１）。
【００９５】
次いで、この便器３の洗浄開始から所定時間（３秒）が経過するまでの間、操作スイッチＳＷ１の操作の有無を確認する（ＳＴＥＰ１４２，１４６）。
【００９６】
ＳＴＥＰ１４２で操作スイッチＳＷ１が操作されたことを確認すると、先ず現在洗浄中の便器３の洗浄開始から所定時間（３秒）が経過後（ＳＴＥＰ１４３）、便器１の洗浄を開始する（ＳＴＥＰ１４４））。便器１の洗浄開始から所定時間（３秒）が経過後（ＳＴＥＰ１４５）、第２図の待機状態（ＳＴＥＰ１）に復帰する。
【００９７】
上記ＳＴＥＰ１４６で便器３の洗浄開始から所定時間（３秒）の経過を確認すると、第２図の待機状態（ＳＴＥＰ１）に復帰する。
【００９８】
＜パターン２−（２）（第１０図）＞
第８図のＳＴＥＰ１１１で操作スイッチＳＷ１が操作されたことを確認すると、第１０図のＳＴＥＰ１５０に移行し、以下に説明するパターン２−（２）のフローを実行する。
【００９９】
即ち、ＳＴＥＰ１１１（第８図）で操作スイッチＳＷ１が操作されたことを確認すると、第１０図のＳＴＥＰ１５０に移行し、直ちに便器１の洗浄を開始する（ＳＴＥＰ１５０）。
【０１００】
次いで、この便器１の洗浄開始から所定時間（３秒）が経過するまでの間、操作スイッチＳＷ３の操作の有無を確認する（ＳＴＥＰ１５１，１６０）。
【０１０１】
ＳＴＥＰ１５１で操作スイッチＳＷ３が操作されたことを確認すると、現在洗浄中の便器１に次いで、便器２，３を優先順位の高い順（便器２，３の順）に洗浄することが確定するので、便器２，３の順に便器を洗浄することになる（ＳＴＥＰ１５２〜ＳＴＥＰ１５６）。
【０１０２】
即ち、ＳＴＥＰ１５１で操作スイッチＳＷ３が操作されたことを確認すると、先ず現在洗浄中の便器１の洗浄開始から所定時間（３秒）が経過後（ＳＴＥＰ１５２）、便器２の洗浄を開始する（ＳＴＥＰ１５３）。便器２の洗浄開始から所定時間（３秒）が経過後（ＳＴＥＰ１５４）、便器３の洗浄を開始する（ＳＴＥＰ１５５）。便器３の洗浄開始から所定時間（３秒）が経過後（ＳＴＥＰ１５６）、第２図の待機状態（ＳＴＥＰ１）に復帰する。
【０１０３】
上記ＳＴＥＰ１６０で便器１の洗浄開始から所定時間（３秒）が経過したことを確認すると、便器２の洗浄を開始する（ＳＴＥＰ１６１）。
【０１０４】
次いで、この便器２の洗浄開始から所定時間（３秒）が経過するまでの間、操作スイッチＳＷ３の操作の有無を確認する（ＳＴＥＰ１６２，１６６）。
【０１０５】
このＳＴＥＰ１６２で操作スイッチＳＷ３が操作されたことを確認すると、現在洗浄中の便器２の洗浄開始から設定時間（３秒）が経過後（ＳＴＥＰ１６３）、便器３の洗浄を開始する（ＳＴＥＰ１６４）。この便器３の洗浄開始から設定時間（３秒）が経過後（ＳＴＥＰ１６５）、第２図の待機状態（ＳＴＥＰ１）に復帰する。
【０１０６】
上記ＳＴＥＰ１６６で便器２の洗浄開始から所定時間（３秒）が経過したことを確認すると、第２図の待機状態（ＳＴＥＰ１）に復帰する。
【０１０７】
＜パターン２−（３）（第１１図）＞
第８図のＳＴＥＰ１１４で操作スイッチＳＷ３が操作されたことを確認すると、第１１図のＳＴＥＰ１７０に移行し、以下に説明するパターン２−（３）のフローを実行する。
【０１０８】
即ち、ＳＴＥＰ１１４（第８図）で操作スイッチＳＷ３が操作されたことを確認すると、第１１図のＳＴＥＰ１７０，１８０に移行し、現在洗浄中の便器２の洗浄開始から所定時間（３秒）の間、操作スイッチＳＷ１の操作の有無を確認する（ＳＴＥＰ１７０，１８０）。
【０１０９】
このＳＴＥＰ１７０で操作スイッチＳＷ１が操作されたことを確認すると、現在洗浄中の便器２に次いで、便器１，３を優先順位の高い順に（便器１，３の順に）洗浄することが確定するので、この順に便器を洗浄することになる（ＳＴＥＰ１７１〜ＳＴＥＰ１７５）。
【０１１０】
即ち、ＳＴＥＰ１７０で操作スイッチＳＷ１が操作されたことを確認すると、先ず現在洗浄中の便器２の洗浄開始から所定時間（３秒）が経過後（ＳＴＥＰ１７１）、便器１の洗浄を開始する（ＳＴＥＰ１７２）。便器１の洗浄開始から所定時間（３秒）が経過後（ＳＴＥＰ１７３）、便器３の洗浄を開始する（ＳＴＥＰ１７４）。便器３の洗浄開始から所定時間（３秒）が経過後（ＳＴＥＰ１７５）、第２図の待機状態（ＳＴＥＰ１）に復帰する。
【０１１１】
上記ＳＴＥＰ１８０で便器２の洗浄開始から所定時間（３秒）が経過したことを確認すると、便器３の洗浄を開始する（ＳＴＥＰ１８１）。
【０１１２】
次いで、この便器３の洗浄開始から所定時間（３秒）が経過するまでの間、操作スイッチＳＷ１の操作の有無を確認する（ＳＴＥＰ１８２，１８６）。
【０１１３】
このＳＴＥＰ１８２で操作スイッチＳＷ１が操作されたことを確認すると、現在洗浄中の便器３の洗浄開始から設定時間（３秒）が経過後（ＳＴＥＰ１８３）、便器１の洗浄を開始する（ＳＴＥＰ１８４）。この便器１の洗浄開始から設定時間（３秒）が経過後（ＳＴＥＰ１８５）、第２図の待機状態（ＳＴＥＰ１）に復帰する。
【０１１４】
上記ＳＴＥＰ１８６で便器３の洗浄開始から所定時間（３秒）が経過したことを確認すると、第２図の待機状態（ＳＴＥＰ１）に復帰する。
【０１１５】
＜パターン２−（４）（第１２図）＞
第８図のＳＴＥＰ１１５で操作スイッチＳＷ１が操作されたことを確認すると、第１２図のＳＴＥＰ１９０に移行し、以下に説明するパターン２−（４）のフローを実行する。
【０１１６】
即ち、ＳＴＥＰ１１５（第８図）で操作スイッチＳＷ１が操作されたことを確認すると、第１２図のＳＴＥＰ１９０，２００に移行し、現在洗浄中の便器２の洗浄開始から所定定時間（３秒）の間、操作スイッチＳＷ３の操作の有無を確認する（ＳＴＥＰ１９０，２００）。
【０１１７】
このＳＴＥＰ１９０で操作スイッチＳＷ３が操作されたことを確認すると、現在洗浄中の便器２に次いで、便器１，３を優先順位の高い順に（便器１，３の順に）洗浄することが確定するので、この順に便器を洗浄することになる（ＳＴＥＰ１９１〜ＳＴＥＰ１９５）。
【０１１８】
即ち、ＳＴＥＰ１９０で操作スイッチＳＷ３が操作されたことを確認すると、先ず現在洗浄中の便器２の洗浄開始から所定時間（３秒）が経過後（ＳＴＥＰ１９１）、便器１の洗浄を開始する（ＳＴＥＰ１９２）。便器１の洗浄開始から所定時間（３秒）が経過後（ＳＴＥＰ１９３）、便器３の洗浄を開始する（ＳＴＥＰ１９４）。便器３の洗浄開始から所定時間（３秒）が経過後（ＳＴＥＰ１９５）、第２図の待機状態（ＳＴＥＰ１）に復帰する。
【０１１９】
上記ＳＴＥＰ２００で便器２の洗浄開始から所定時間（３秒）が経過したことを確認すると、便器１の洗浄を開始する（ＳＴＥＰ２０１）。
【０１２０】
次いで、この便器１の洗浄開始から所定時間（３秒）が経過するまでの間、操作スイッチＳＷ３の操作の有無を確認する（ＳＴＥＰ２０２，２０６）。
【０１２１】
このＳＴＥＰ２０２で操作スイッチＳＷ３が操作されたことを確認すると、現在洗浄中の便器１の洗浄開始から設定時間（３秒）が経過後（ＳＴＥＰ２０３）、便器３の洗浄を開始する（ＳＴＥＰ２０４）。この便器３の洗浄開始から設定時間（３秒）が経過後（ＳＴＥＰ２０５）、第２図の待機状態（ＳＴＥＰ１）に復帰する。
【０１２２】
上記ＳＴＥＰ２０６で便器１の洗浄開始から所定時間（３秒）が経過したことを確認すると、第２図の待機状態（ＳＴＥＰ１）に復帰する。
【０１２３】
＜パターン３（第１３図）＞
第２図のＳＴＥＰ４において、最も優先順位の高い便器１に対応するスイッチＳＷ１が最初に操作されたことを確認している。従って、ＳＴＥＰ４から第１３図のＳＴＥＰ２１０に移行し、直ちに便器１の洗浄を開始する（ＳＴＥＰ２１０）。
【０１２４】
次いで、操作スイッチＳＷ３の操作の有無を確認する（ＳＴＥＰ２１１）。操作スイッチＳＷ３が操作されていない場合には、次いで操作スイッチＳＷ２の操作の有無を確認する（ＳＴＥＰ２１２）。この操作スイッチＳＷ２も操作されていない場合、便器１の洗浄開始から設定時間（３秒）の経過の有無を確認し（ＳＴＥＰ２１３）、所定時間（３秒）が経過していない場合には、ＳＴＥＰ２１１に戻り、これらＳＴＥＰ２１１〜２１３を繰り返し実行する。
【０１２５】
ＳＴＥＰ２１３において、便器１の洗浄開始から所定時間（３秒）の経過を確認した場合には、第２図の待機状態（ＳＴＥＰ１）に戻る。
【０１２６】
＜パターン３−（１）（第１４図）＞
第１３図のＳＴＥＰ２１１で操作スイッチＳＷ３が操作されたことを確認すると、第１４図のＳＴＥＰ２２０に移行し、以下に説明するパターン３−（１）のフローを実行する。
【０１２７】
即ち、ＳＴＥＰ２１１（第１３図）で操作スイッチＳＷ３が操作されたことを確認すると、第１４図のＳＴＥＰ２２０，２３０に移行し、現在洗浄中の便器１の洗浄開始から所定時間（３秒）の間、操作スイッチＳＷ２の操作の有無を確認する（ＳＴＥＰ２２０，２３０）。
【０１２８】
このＳＴＥＰ２２０で操作スイッチＳＷ２が操作されたことを確認すると、現在洗浄中の便器１に次いで、便器２，３を優先順位の高い順に（便器２，３の順に）洗浄することが確定するので、この順に便器を洗浄することになる（ＳＴＥＰ２２１〜ＳＴＥＰ２２５）。
【０１２９】
即ち、ＳＴＥＰ２２０で操作スイッチＳＷ２が操作されたことを確認すると、先ず現在洗浄中の便器１の洗浄開始から所定時間（３秒）が経過後（ＳＴＥＰ２２１）、便器２の洗浄を開始する（ＳＴＥＰ２２２）。便器２の洗浄開始から所定時間（３秒）が経過後（ＳＴＥＰ２２３）、便器３の洗浄を開始する（ＳＴＥＰ２２４）。便器３の洗浄開始から所定時間（３秒）が経過後（ＳＴＥＰ２２５）、第２図の待機状態（ＳＴＥＰ１）に復帰する。
【０１３０】
上記ＳＴＥＰ２３０で便器１の洗浄開始から所定時間（３秒）が経過したことを確認すると、便器３の洗浄を開始する（ＳＴＥＰ２３１）。
【０１３１】
次いで、この便器３の洗浄開始から所定時間（３秒）が経過するまでの間、操作スイッチＳＷ２の操作の有無を確認する（ＳＴＥＰ２３２，２３６）。
【０１３２】
このＳＴＥＰ２３２で操作スイッチＳＷ２が操作されたことを確認すると、現在洗浄中の便器３の洗浄開始から設定時間（３秒）が経過後（ＳＴＥＰ２３３）、便器２の洗浄を開始する（ＳＴＥＰ２３４）。この便器２の洗浄開始から設定時間（３秒）が経過後（ＳＴＥＰ２３５）、第２図の待機状態（ＳＴＥＰ１）に復帰する。
【０１３３】
上記ＳＴＥＰ２３６で便器３の洗浄開始から所定時間（３秒）が経過したことを確認すると、第２図の待機状態（ＳＴＥＰ１）に復帰する。
【０１３４】
＜パターン３−（２）（第１５図）＞
第１３図のＳＴＥＰ２１２で操作スイッチＳＷ２が操作されたことを確認すると、第１５図のＳＴＥＰ２４０に移行し、以下に説明するパターン３−（２）のフローを実行する。
【０１３５】
即ち、ＳＴＥＰ２１２（第１３図）で操作スイッチＳＷ２が操作されたことを確認すると、第１５図のＳＴＥＰ２４０，２５０に移行し、現在洗浄中の便器１の洗浄開始から所定時間（３秒）の間、操作スイッチＳＷ３の操作の有無を確認する（ＳＴＥＰ２４０，２５０）。
【０１３６】
このＳＴＥＰ２４０で操作スイッチＳＷ３が操作されたことを確認すると、現在洗浄中の便器１に次いで、便器２，３を優先順位の高い順に（便器２，３の順に）洗浄することが確定するので、この順に便器を洗浄することになる（ＳＴＥＰ２４１〜ＳＴＥＰ２４５）。
【０１３７】
即ち、ＳＴＥＰ２４０で操作スイッチＳＷ３が操作されたことを確認すると、先ず現在洗浄中の便器１の洗浄開始から所定時間（３秒）が経過後（ＳＴＥＰ２４１）、便器２の洗浄を開始する（ＳＴＥＰ２４２）。便器２の洗浄開始から所定時間（３秒）が経過後（ＳＴＥＰ２４３）、便器３の洗浄を開始する（ＳＴＥＰ２４４）。便器３の洗浄開始から所定時間（３秒）が経過後（ＳＴＥＰ２４５）、第２図の待機状態（ＳＴＥＰ１）に復帰する。
【０１３８】
上記ＳＴＥＰ２５０で便器１の洗浄開始から所定時間（３秒）が経過したことを確認すると、便器２の洗浄を開始する（ＳＴＥＰ２５１）。
【０１３９】
次いで、この便器２の洗浄開始から所定時間（３秒）が経過するまでの間、操作スイッチＳＷ３の操作の有無を確認する（ＳＴＥＰ２５２，２５６）。
【０１４０】
このＳＴＥＰ２５２で操作スイッチＳＷ３が操作されたことを確認すると、現在洗浄中の便器２の洗浄開始から設定時間（３秒）が経過後（ＳＴＥＰ２５３）、便器３の洗浄を開始する（ＳＴＥＰ２５４）。この便器３の洗浄開始から設定時間（３秒）が経過後（ＳＴＥＰ２５５）、第２図の待機状態（ＳＴＥＰ１）に復帰する。
【０１４１】
上記ＳＴＥＰ２５６で便器２の洗浄開始から所定時間（３秒）が経過したことを確認すると、第２図の待機状態（ＳＴＥＰ１）に復帰する。
【０１４２】
本動作例では、操作スイッチＳＷ１が最初に操作されたときには、１秒間の経過を待つことなく、直ちに便器１の洗浄を開始する。この理由は、便器１が最も優先順位が高いため、操作スイッチＳＷ１が操作された時点で便器１を最初に洗浄することが確定するからである。これにより、便器１が迅速に洗浄される。
【０１４３】
本動作例では、設定時間（１秒）の間の他に、所定時間（３秒）の間にも、未操作の操作スイッチの操作の有無を確認している。これにより、便器の洗浄の順番が、優先順位により近づくことになる。
【０１４４】
本システムを採用した場合、給水管の水圧変動による便器排出性能の低下を防止でき、給水管を小口径のものとできるので、コスト低減を図ることができる。例えば、従来の第１９図のような４階建ての各階に便器を４器づつ設置する４連式の場合、同一フロアでの同時洗浄が無くなると考えることができる。その結果、従来の場合（便器の同時使用率５０％の場合）と比べて、分岐管５６ａ〜５６ｄ、５７ａ〜５７ｄ、５８ａ〜５８ｄ、５９ａ〜５９ｄの口径は２５Ａのままであるが、給水管５６〜５９の口径を４０Ａから２５Ａに減径し、給水管５５の口径を１００Ａから４０Ａに減径することができる。
【０１４５】
［第２の動作例（第１６図、第１７図）］
第１の動作例では、第４図のＳＴＥＰ３０で「操作スイッチＳＷ２」の操作から設定時間（１秒）の経過の有無を確認しているが、第２の動作例では、第１６図の通り、ＳＴＥＰ３０で「操作スイッチＳＷ２」を「操作スイッチＳＷ３」に変更している。第２の動作例のその他のフローは第１の動作例と同様である。
【０１４６】
第２の動作例では、第１６図のＳＴＥＰ２０，２１，３０，３１の通り、最初に操作された操作スイッチ（操作スイッチＳＷ３）の操作時点から最大でも設定時間（１秒）以内に、いずれかの便器（便器１又は２）の洗浄を開始する。
【０１４７】
これに対して第１の動作例では、第４図のＳＴＥＰ２０，２１，３０，３１の通り、最初に操作された操作スイッチ（操作スイッチＳＷ３）の操作時点から最大２回の設定時間（１秒）の経過後に、いずれかの便器（便器１又は２）の洗浄を開始する。具体的には、最初に操作スイッチＳＷ３が操作（第２図のＳＴＥＰ２）されてから設定時間（１秒）が経過する直前に操作スイッチＳＷ２が操作（第３図のＳＴＥＰ１０）され、この操作スイッチＳＷ２の操作から設定時間（１秒）経過後に便器２の洗浄を開始する場合には（第４図のＳＴＥＰ２０，３０，３１）、最初に操作スイッチＳＷ３が操作されてから約２秒後に便器２の洗浄を開始することになる。
【０１４８】
このように、第２の動作例は第１の動作例と比べて、最初の操作スイッチが操作されてから早期に最初の便器の洗浄を開始するという利点を有する。なお、第１の動作例は第２の動作例と比べて、最初のスイッチが操作されてから長期間にわたって便器を洗浄することなく他の操作スイッチの操作の有無を確認するため、実際の便器洗浄の順番が便器の優先順位により近くなるという利点がある。
【０１４９】
なお、第１の動作例のＳＴＥＰ１３０（第９図）においても、「操作スイッチＳＷ３」を第１７図のＳＴＥＰ１３０のように「操作スイッチＳＷ２」に変更してもよい。この場合にも、最初の操作スイッチが操作されてから早期に最初の便器の洗浄を開始する。
【０１５０】
［第３の動作例（第１８図）］
第１８図の通り、第３の動作例では、第１の動作例のＳＴＥＰ２３とＳＴＥＰ２５（第４図）を入れ替えている。従って、ＳＴＥＰ２３で便器３を洗浄し、ＳＴＥＰ２５で便器２を洗浄することになる。
【０１５１】
また、第３の動作例では、第１の動作例のＳＴＥＰ３４とＳＴＥＰ３６（第４図）を入れ替えている。従って、ＳＴＥＰ３４で便器３を洗浄し、ＳＴＥＰ３６で便器１を洗浄することになる。
【０１５２】
即ち、第３の動作例では、先に操作された操作スイッチに対応する便器が、それよりも後で操作された操作スイッチに対応する便器に洗浄の順番を抜かされる回数が１回までに制限されている。これにより、操作スイッチＳＷ１〜ＳＷ３の操作から対応する便器１〜３の洗浄開始までに待たされる時間の上限が短くなる。
【０１５３】
なお、第３の動作例では、第１図のような３連式のトイレ設備のために当該回数制限を１回としたが（回数制限を２回以上とすると、第１動作例と同様の動作を行うことになり、回数制限が無いことに等しい動作結果となる。）、４連式以上のトイレ設備においては、この回数制限は２回以上であってもよい。
【０１５４】
本実施の形態は本発明の一例であり、本発明は本実施の形態に限定されない。
【０１５５】
例えば、本実施の形態では、便器１〜３の次の便器の洗浄開始までの所定時間を３秒としているが、これに限定されるものではない。例えば、この所定時間を洗浄開始から洗浄流量がピークとなる時点までの時間よりも長くすれば、次の便器の洗浄開始による現在洗浄中の便器の洗浄への影響を抑えることができる。しかし、給水管の水圧変動による便器排出性能が確保できる場合には、この所定時間の経過時点を洗浄流量のピーク時点よりも前にしてもよい。
【０１５６】
本実施の形態では、設定時間を１秒としているが、これに限定されるものではなく、例えば３秒未満であれば、便器を洗浄する順番が入れ替わっても、順番を抜かされた便器が自己の便器洗浄の開始までに待たされる時間が必要以上に長くなることが無い。
【０１５７】
便器の数は３器に限られず、２器又は４器以上であってもよい。
【０１５８】
本実施の形態では、給水管２４の下流側から上流側に向って分岐管２４Ａ、２４Ｂ、２４Ｃの順に分岐しているが、給水管２４の上流側から下流側に向って分岐管２４Ａ、２４Ｂ、２４Ｃの順に分岐してもよい。
【０１５９】
本実施の形態では、便器洗浄制御装置３０と洗浄スイッチ２３Ａ〜２３Ｃ及び電磁弁２５Ａ〜２５Ｃとが、リード３１Ａ〜３１Ｃ及びリード３２Ａ〜３２Ｃと接続されているが、これらは無線で接続されていてもよい。
【０１６０】
便器洗浄の順番が入れ替わった場合には、使用者にその旨を報知する手段（音声、表示等の手段）を設けてもよい。
【図面の簡単な説明】
【０１６１】
【図１】実施の形態に係る便器洗浄制装置を備えたトイレ設備の模式図である。
【図２】第１動作例のフロー図である。
【図３】第１動作例のフロー図である。
【図４】第１動作例のフロー図である。
【図５】第１動作例のフロー図である。
【図６】第１動作例のフロー図である。
【図７】第１動作例のフロー図である。
【図８】第１動作例のフロー図である。
【図９】第１動作例のフロー図である。
【図１０】第１動作例のフロー図である。
【図１１】第１動作例のフロー図である。
【図１２】第１動作例のフロー図である。
【図１３】第１動作例のフロー図である。
【図１４】第１動作例のフロー図である。
【図１５】第１動作例のフロー図である。
【図１６】第２動作例のフロー図である。
【図１７】第２動作例のフロー図である。
【図１８】第３動作例のフロー図である。
【図１９】４階建の建物の各階に便器を４器づつ設置した状態を示す模式図である。
【符号の説明】
【０１６２】
１〜３  便器
１１〜１３  個室
２０  給水管
２１〜２３  分岐管
３０  便器洗浄制御装置
Ｖ１〜Ｖ３  電磁弁
ＳＷ１〜ＳＷ３  操作スイッチ
【図１】
2010084482.tif 000003
【図２】
2010084482.tif 000004
【図３】
2010084482.tif 000005
【図４】
2010084482.tif 000006
【図５】
2010084482.tif 000007
【図６】
2010084482.tif 000008
【図７】
2010084482.tif 000009
【図８】
2010084482.tif 000010
【図９】
2010084482.tif 000011
【図１０】
2010084482.tif 000012
【図１１】
2010084482.tif 000013
【図１２】
2010084482.tif 000014
【図１３】
2010084482.tif 000015
【図１４】
2010084482.tif 000016
【図１５】
2010084482.tif 000017
【図１６】
2010084482.tif 000018
【図１７】
2010084482.tif 000019
【図１８】
2010084482.tif 000020
【図１９】
2010084482.tif 000021